(57)【要約】【課題】停電対策としてＵＰＳを備えた入退管理システムにおいて、適正なコストで、停電時でも所要の管理エリアの動作を所望の時間だけ維持できる入退管理システム及びその運転方法を提供する。【解決手段】所定の管理エリアへ入退場する人が入力した情報と、予め保存された、認証に必要な情報である認証情報とを比較して該人を認証する認証装置に、予め設定された、停電時の動作要否を指定する停電時動作フラグを保存しておく。認証装置は、シャットダウンコマンドの受信時、停電時動作フラグが動作否を示している場合は自装置をシャットダウンし、停電時動作フラグが動作要を示している場合は自装置の動作を維持する。【選択図】図１
2013206042.tif 000002
【特許請求の範囲】
【請求項１】
商用交流電源の停電時、前記停電の発生を検知し、前記商用交流電源に代わって電力を供給すると共に、前記停電の発生を通知する一次側停電通知信号を出力する無停電電源装置と、
前記一次側停電通知信号を受信すると、電源を遮断するシャットダウンを指示するシャットダウンコマンドを送出する制御装置と、
予め設定された、停電時の動作要否を指定する停電時動作フラグを保存し、前記シャットダウンコマンドの受信時、前記停電時動作フラグが動作否を示している場合は自装置をシャットダウンし、前記停電時動作フラグが動作要を示している場合は自装置の動作を維持する、所定の管理エリアへ入退場する人が入力した情報と、予め保存された、認証に必要な情報である認証情報とを比較して該人を認証する認証装置と、
を有する入退管理システム。
【請求項２】
商用交流電源の停電時、前記停電の発生を検知し、前記商用交流電源に代わって電力を供給すると共に、前記停電の発生を通知する一次側停電通知信号を出力する無停電電源装置と、
前記一次側停電通知信号を受信すると、電源を遮断するシャットダウンを指示するシャットダウンコマンドを送出する制御装置と、
予め設定された設定値からの残り時間を示すカウントダウンタイマを備え、前記カウントダウンタイマの設定値であるタイマ設定値を保存し、前記シャットダウンコマンドの受信時、前記タイマ設定値が零の場合は自装置をシャットダウンし、前記タイマ設定値が零以外の場合は自装置の動作を維持し、該タイマ設定値から前記カウントダウンタイマを動作させ、該カウントダウンタイマが零になると自装置をシャットダウンする、所定の管理エリアへ入退場する人が入力した情報と、予め保存された、認証に必要な情報である認証情報とを比較して該人を認証する認証装置と、
を有する入退管理システム。
【請求項３】
前記認証情報を管理するためのサーバ装置を備え、
前記認証装置は、
前記管理エリアに対する人の入退場の履歴である入退場履歴を前記サーバ装置へ送信すると共に、該管理エリアに人が存在するか否かを示す在室フラグを保存し、
前記サーバ装置は、
前記入退場履歴に基づいて前記管理エリアに人が存在するか否かを判定し、その判定結果に基づいて前記在室フラグを設定し、
前記認証装置は、
前記シャットダウンコマンドの受信時、前記在室フラグが人の不在を示している場合は自装置をシャットダウンし、前記在室フラグが人の存在を示している場合は自装置の動作を維持する請求項１または２記載の入退管理システム。
【請求項４】
前記認証装置は、
前記管理エリアへ人が入場するとカウントアップし、前記管理エリアから人が退場するとカウントダウンするアップダウンカウンタを備え、
前記アップダウンカウンタのカウント値を保存しておき、前記シャットダウンコマンドの受信時、前記カウント値が零の場合は自装置をシャットダウンし、前記カウント値が零以外の場合は自装置の動作を維持する請求項１または２記載の入退管理システム。
【請求項５】
前記認証装置は、
ＩＣ（Integrated Circuit）カードに格納された情報を読み取るカードリーダである請求項１から４のいずれか１項記載の入退管理システム。
【請求項６】
商用交流電源の停電時、前記停電の発生を検知し、前記商用交流電源に代わって電力を供給すると共に、前記停電の発生を通知する一次側停電通知信号を出力する無停電電源装置と、
前記一次側停電通知信号を受信すると、電源を遮断するシャットダウンを指示するシャットダウンコマンドを送出する制御装置と、
所定の管理エリアへ入退場する人が入力した情報と、予め保存された、認証に必要な情報である認証情報とを比較して該人を認証する認証装置と、
を有する入退管理システムの運転方法であって、
前記認証装置が、
予め設定された、停電時の動作要否を指定する停電時動作フラグを保存しておき、
前記シャットダウンコマンドの受信時、前記停電時動作フラグが動作否を示している場合は自装置をシャットダウンし、
前記停電時動作フラグが動作要を示している場合は自装置の動作を維持する入退管理システムの運転方法。
【請求項７】
商用交流電源の停電時、前記停電の発生を検知し、前記商用交流電源に代わって電力を供給すると共に、前記停電の発生を通知する一次側停電通知信号を出力する無停電電源装置と、
前記一次側停電通知信号を受信すると、電源を遮断するシャットダウンを指示するシャットダウンコマンドを送出する制御装置と、
所定の管理エリアへ入退場する人が入力した情報と、予め保存された、認証に必要な情報である認証情報とを比較して該人を認証する認証装置と、
を有する入退管理システムの運転方法であって、
前記認証装置が、
予め設定された設定値からの残り時間を示すカウントダウンタイマを備え、前記カウントダウンタイマの設定値であるタイマ設定値を保存しておき、
前記シャットダウンコマンドの受信時、前記タイマ設定値が零の場合は自装置をシャットダウンし、
前記タイマ設定値が零以外の場合は自装置の動作を維持し、該タイマ設定値から前記カウントダウンタイマを動作させ、該カウントダウンタイマが零になると自装置をシャットダウンする入退管理システムの運転方法。
【請求項８】
前記入退管理システムに、前記認証情報を管理するためのサーバ装置を備え、
前記認証装置が、
前記管理エリアに対する人の入退場の履歴である入退場履歴を前記サーバ装置へ送信すると共に、該管理エリアに人が存在するか否かを示す在室フラグを保存し、
前記サーバ装置が、
前記入退場履歴に基づいて前記管理エリアに人が存在するか否かを判定し、その判定結果に基づいて前記在室フラグを設定し、
前記認証装置が、
前記シャットダウンコマンドの受信時、前記在室フラグが人の不在を示している場合は自装置をシャットダウンし、前記在室フラグが人の存在を示している場合は自装置の動作を維持する請求項６または７記載の入退管理システムの運転方法。
【請求項９】
前記認証装置が、
前記管理エリアへ人が入場するとカウントアップし、前記管理エリアから人が退場するとカウントダウンするアップダウンカウンタを備え、前記アップダウンカウンタのカウント値を保存しておき、
前記シャットダウンコマンドの受信時、前記カウント値が零の場合は自装置をシャットダウンし、前記カウント値が零以外の場合は自装置の動作を維持する請求項６または７記載の入退管理システムの運転方法。
【発明の詳細な説明】
【技術分野】
【０００１】
本発明は所定の管理エリアに対する人の入退場を管理する入退管理システム及びその運転方法に関する。
【背景技術】
【０００２】
オフィス、工場、研究所等、所定の管理エリアに対する人の入退場を管理する入退管理システムでは、該管理エリアへ出入りするための扉近傍に認証装置を設置し、該認証装置により、入退場者が入力した情報と予め保存された情報とを比較することで入退場者を認証する。入退場者の認証には、パスコード、ＩＣ（Integrated Circuit）カード、生体認証等が利用される。入退管理システムは、該認証装置による認証結果に基づき、許可された入退場者であるときのみ管理エリアの扉に取り付けられた電気錠等を開錠することで管理エリアのセキュリティを確保している。
【０００３】
このような入退管理システムについては、例えば特許文献１及び２にも記載されている。特許文献１では、入退管理システムで管理する各機器の設定（照明装置や防犯スイッチ等のオン・オフ）が停電時に変更された場合、該停電からの復帰時に、該変更後の設定に各機器の状態を整合させることが記載されている。特許文献２では、管理エリアに対する人の入退場履歴に基づき、人がいない管理エリアについては、上記認証装置である、ＩＣカードから情報を読み取るカードリーダをスリープ状態に移行させてシステム全体の消費電力を低減させることが記載されている。
【０００４】
また、特許文献３には、入退管理システムと情報セキュリティシステムとを連動させ、入退管理システムで認証された利用者が許可された管理エリアに所在している期間のみ、当該利用者によるネットワークへの接続を許可することでセキュリティレベルを向上させることが記載されている。
【０００５】
なお、入退管理システムを制御対象とするものではないが、例えば特許文献４には、停電発生時に、予め設定された特定の被制御負荷のみを動作させる強制制御を実行し、該強制制御の解除時、被制御負荷の動作状態を強制制御へ移行する前の状態へ戻すことが記載されている。
【先行技術文献】
【特許文献】
【０００６】
【特許文献１】特開２００６−２０９３７７号公報
【特許文献２】特開２０１０−２５７３１３号公報
【特許文献３】特開２００９−２３０３２５号公報
【特許文献４】特開平０９−２８９６９２号公報
【発明の概要】
【発明が解決しようとする課題】
【０００７】
上述した入退管理システムでは、例えば上記カードリーダや他の認証装置、並びに認証に必要な情報を管理するサーバ装置等の入退管理システムを構成する各装置に対して、商用交流電源から動作に必要な電力が供給される。また、商用交流電源で停電が発生した場合は、無停電電源装置（以下、ＵＰＳ（Uninterruptible Power Supply）と称す）または自家発電装置を用いて入退管理システムが備える各装置に電力が供給される。
【０００８】
ここで、自家発電装置を備えた入退管理システムでは、該自家発電装置の運転に必要な燃料が十分にあれば、停電が発生しても、比較的長い時間、入退管理システムの動作を維持できる。
【０００９】
一方、ＵＰＳは、一般的に比較的短い停電時間に対応することを想定したものであり、その多くが二次電池やコンデンサを用いて電力を供給する構成である。そのため、ＵＰＳを備えた入退管理システムでは停電が発生してから数分間程度しか入退管理システムの動作を維持できない課題がある。特に、管理エリア内に人がいる状態で停電が発生した場合、入退管理システムの動作を維持できないと、管理エリア内に人を閉じ込めてしまうおそれがある。蓄電池の容量を大きくすれば、入退管理システムの動作を維持できる時間を延ばすことができるが、その場合はＵＰＳのコストが上昇する問題が発生する。
【００１０】
したがって、停電対策としてＵＰＳを備えた入退管理システムであっても、適正なコストで、停電時に所要の管理エリアについては所望の時間だけ動作を維持できることが望ましい。
【００１１】
上記特許文献１〜４には、システム全体の消費電力の低減やセキュリティレベルを向上させる手法、あるいは停電からの復帰時に各機器の状態を停電中や停電前と整合させる手法が記載されているが、上記のような課題を解決するものではない。
【００１２】
本発明は上述したような背景技術が有する問題点を解決するためになされたものであり、停電対策としてＵＰＳを備えた入退管理システムにおいて、適正なコストで、停電時でも所要の管理エリアの動作を所望の時間だけ維持できる入退管理システム及びその運転方法を提供することを目的とする。
【課題を解決するための手段】
【００１３】
上記目的を達成するため本発明の入退管理システムは、商用交流電源の停電時、前記停電の発生を検知し、前記商用交流電源に代わって電力を供給すると共に、前記停電の発生を通知する一次側停電通知信号を出力する無停電電源装置と、
前記一次側停電通知信号を受信すると、電源を遮断するシャットダウンを指示するシャットダウンコマンドを送出する制御装置と、
予め設定された、停電時の動作要否を指定する停電時動作フラグを保存し、前記シャットダウンコマンドの受信時、前記停電時動作フラグが動作否を示している場合は自装置をシャットダウンし、前記停電時動作フラグが動作要を示している場合は自装置の動作を維持する、所定の管理エリアへ入退場する人が入力した情報と、予め保存された、認証に必要な情報である認証情報とを比較して該人を認証する認証装置と、
を有する。
【００１４】
または、商用交流電源の停電時、前記停電の発生を検知し、前記商用交流電源に代わって電力を供給すると共に、前記停電の発生を通知する一次側停電通知信号を出力する無停電電源装置と、
前記一次側停電通知信号を受信すると、電源を遮断するシャットダウンを指示するシャットダウンコマンドを送出する制御装置と、
予め設定された設定値からの残り時間を示すカウントダウンタイマを備え、前記カウントダウンタイマの設定値であるタイマ設定値を保存し、前記シャットダウンコマンドの受信時、前記タイマ設定値が零の場合は自装置をシャットダウンし、前記タイマ設定値が零以外の場合は自装置の動作を維持し、該タイマ設定値から前記カウントダウンタイマを動作させ、該カウントダウンタイマが零になると自装置をシャットダウンする、所定の管理エリアへ入退場する人が入力した情報と、予め保存された、認証に必要な情報である認証情報とを比較して該人を認証する認証装置と、
を有する。
【００１５】
一方、本発明の入退管理システムの運転方法は、商用交流電源の停電時、前記停電の発生を検知し、前記商用交流電源に代わって電力を供給すると共に、前記停電の発生を通知する一次側停電通知信号を出力する無停電電源装置と、
前記一次側停電通知信号を受信すると、電源を遮断するシャットダウンを指示するシャットダウンコマンドを送出する制御装置と、
所定の管理エリアへ入退場する人が入力した情報と、予め保存された、認証に必要な情報である認証情報とを比較して該人を認証する認証装置と、
を有する入退管理システムの運転方法であって、
前記認証装置が、
予め設定された、停電時の動作要否を指定する停電時動作フラグを保存しておき、
前記シャットダウンコマンドの受信時、前記停電時動作フラグが動作否を示している場合は自装置をシャットダウンし、
前記停電時動作フラグが動作要を示している場合は自装置の動作を維持する方法である。
【００１６】
または、商用交流電源の停電時、前記停電の発生を検知し、前記商用交流電源に代わって電力を供給すると共に、前記停電の発生を通知する一次側停電通知信号を出力する無停電電源装置と、
前記一次側停電通知信号を受信すると、電源を遮断するシャットダウンを指示するシャットダウンコマンドを送出する制御装置と、
所定の管理エリアへ入退場する人が入力した情報と、予め保存された、認証に必要な情報である認証情報とを比較して該人を認証する認証装置と、
を有する入退管理システムの運転方法であって、
前記認証装置が、
予め設定された設定値からの残り時間を示すカウントダウンタイマを備え、前記カウントダウンタイマの設定値であるタイマ設定値を保存しておき、
前記シャットダウンコマンドの受信時、前記タイマ設定値が零の場合は自装置をシャットダウンし、
前記タイマ設定値が零以外の場合は自装置の動作を維持し、該タイマ設定値から前記カウントダウンタイマを動作させ、該カウントダウンタイマが零になると自装置をシャットダウンする方法である。
【発明の効果】
【００１７】
本発明によれば、停電対策としてＵＰＳを備えた入退管理システムにおいて、適正なコストで、停電時でも所要の管理エリアの動作を所望の時間だけ維持できる。
【図面の簡単な説明】
【００１８】
【図１】本発明の入退管理システムの一構成例を示すブロック図である。
【図２】第１の実施の形態のカードリーダの一構成例を示すブロック図である。
【図３】第１の実施の形態の入退管理システムの動作例を示すフローチャートである。
【図４】第２の実施の形態のカードリーダの一構成例を示すブロック図である。
【図５】第２の実施の形態の入退管理システムの動作例を示すフローチャートである。
【図６】第３の実施の形態の入退管理システムを示す図であり、同図（ａ）はカードリーダの一構成例を示すブロック図、同図（ｂ）はカードリーダの配置例を示す平面図である。
【図７】第３の実施の形態の入退管理システムの動作例を示すフローチャートである。
【図８】第４の実施の形態の入退管理システムを示す図であり、同図（ａ）はカードリーダの一構成例を示すブロック図、同図（ｂ）はカードリーダの配置例を示す平面図である。
【図９（ａ）】第４の実施の形態の入退管理システムの動作例を示すフローチャートである。
【図９（ｂ）】第４の実施の形態の入退管理システムの動作例を示すフローチャートである。
【発明を実施するための形態】
【００１９】
次に本発明について図面を用いて説明する。
（第１の実施の形態）
図１は本発明の入退管理システムの一構成例を示すブロック図であり、図２は第１の実施の形態のカードリーダの一構成例を示すブロック図である。
【００２０】
図１に示すように、本発明の入退管理システムは、予め保存された入退場者の認証に必要な情報である認証情報とＩＣカードから読み出した情報とを比較し、該ＩＣカードを所有する入退場者を認証する認証装置である、管理エリア毎に設けられた複数のカードリーダ（以下、ＣＲと称す）１０６と、各ＣＲ１０６に所要の電力を供給するＣＲ電源１０４と、各ＣＲ１０６で保持される、入退場者毎の認証情報を管理するためのサーバ装置１０１と、サーバ装置１０１で管理する認証情報の更新やＣＲ１０６毎の入退場履歴の閲覧に利用される管理端末１０２と、各ＣＲ１０６の認証結果にしたがって施錠または開錠される、管理エリア毎の扉に取り付けられた電気錠である鍵１０７と、商用交流電源の停電時、該停電の発生を検知し、該商用交流電源に代わって電力を供給すると共に、停電の発生を通知する一次側停電通知信号を出力するＵＰＳ１０５と、ＣＲ１０６とサーバ装置１０１で送受信される情報を中継する制御装置１０３とを有する。
【００２１】
ＣＲ電源１０４には、その供給可能な電力容量に対応して複数のＣＲ１０６が接続され、各ＣＲ１０６には電源線を介してＣＲ電源１０４から所要の直流電源電圧（例えばＤＣ２４Ｖ）が供給される。制御装置１０３は、例えば各ＣＲ電源１０４に対応して設けられる。サーバ１０１、管理端末１０２、制御装置１０３及びＣＲ電源１０４には、電源線を介して商用交流電源（ＡＣ１００Ｖ）が供給される。
【００２２】
制御装置１０３と複数のＣＲ１０６とは、例えばＬＡＮ（Local area Network）回線等の通信線を介して互いに接続される。同様に、制御装置１０３と、サーバ１０１及び管理端末１０２とは、例えばＬＡＮ回線等の通信線を介して互いに接続される。サーバ装置１０１と各ＣＲ１０６とは、制御装置１０３を介して上記認証情報や入退場履歴を含む各種の情報の送受信が可能である。
【００２３】
商用交流電源の停電時、ＵＰＳ１０５は、例えば該ＵＰＳ１０５の近傍に設置された制御装置１０３に対して上記一次側停電通知信号を出力する。ＵＰＳ１０５から一次側停電通知信号を受信した制御装置１０３は、該一次側停電通知信号を受信しない他の制御装置１０３、サーバ装置１０１、管理端末１０２及びＣＲ１０６に対して、電源を遮断するシャットダウンを指示するシャットダウンコマンドを送信する。このとき、一次側停電通知信号を受信した制御装置１０３は、自装置と通信線を介して接続された各ＣＲ１０６に対してシャットダウンコマンドを直接送信し、自装置と通信線を介して接続されていない各ＣＲ１０６には、各々に対応する制御装置１０３を介してシャットダウンコマンドを送信する。サーバ装置１０１、管理端末１０２、制御装置１０３及びＣＲ１０６は、それぞれ自装置をシャットダウンする機能を備え、上記シャットダウンコマンドを受信すると、自装置をシャットダウンする。但し、ＣＲ１０６は、後述する第１の実施の形態〜第４の実施の形態で示す機能により、上記シャットダウンコマンドを受信しても所定の条件を満たすときはシャットダウンを実行せずに動作を継続する。
【００２４】
一次側停電信号を受信した制御装置１０３は、他の制御装置１０３、サーバ装置１０１、管理端末１０２、ＣＲ１０６へシャットダウンコマンドを送信した後、自装置をシャットダウンする。
【００２５】
図１に示すサーバ装置１０１、管理端末１０２及び制御装置１０３は、上記通信機能を備えた、例えばプログラムにしたがって処理を実行するＣＰＵ及び該ＣＰＵの処理で用いる情報を一時的に保持するメモリを備えた情報処理装置（コンピュータ）によって実現できる。ＣＲ電源１０４は、例えば周知のＡＣ／ＤＣコンバータで実現できる。また、ＵＰＳ１０５も周知の構成を用いればよい。
【００２６】
図２に示すように、ＣＲ１０６は、プログラムにしたがって処理を実行するＣＰＵ、該ＣＰＵの処理で用いる情報を一時的に保持するメモリ及び各種の外部装置のコントローラを備えた処理装置２０２と、認証情報や入退場履歴等の情報を保持する記憶装置２０４と、処理装置２０２で実行する制御プログラム等が格納される記憶媒体２０６と、入退場者が所持するＩＣカード等から該入退場者の認証に必要な情報を読み取るカード読取部２０１と、電源線を介してＣＲ電源１０４から供給された直流電源電圧を所要の直流電圧に変換し、処理装置２０２、記憶装置２０４、記憶媒体２０６、カード読取部２０１に供給する電源部２０９とを有する。
【００２７】
記憶装置２０４には、例えば周知の不揮発性の半導体メモリが用いられる。記憶媒体２０６には、周知の不揮発性の半導体メモリ、磁気ディスク、光ディスク等が用いられる。カード読取部２０１には、例えば周知の非接触型のＩＣカードリーダライタが用いられる。電源部２０９には、周知のＤＣ／ＤＣコンバータが用いられる。
【００２８】
処理装置２０２は、通信線を介して制御装置１０３等と情報を送受信するためのネットワークコントローラ２０７と、記憶装置２０４に対する情報の書き込み及び記憶装置２０４からの情報の読み出しを制御するメモリコントローラ２０３と、記憶媒体２０６に対する制御プログラム等の書き込み及び記憶媒体２０６からの制御プログラム等の読み出しを制御する記憶媒体コントローラ２０５と、カード読取部２０１の動作を制御し、カード読取部２０１で読み取られた情報を処理装置２０２に取り込む通信コントローラ２１０と、電源部２０９の動作を制御する電源コントローラ２０８とを有する。
【００２９】
図２に示すＣＲ１０６は、入退場者の認証に必要な認証情報を記憶装置２０４で保存し、処理装置２０２により、記憶媒体２０６に格納された制御プログラムにしたがって、ＩＣカードから読み出した情報と認証情報とを比較し、該ＩＣカードの所有者を認証する所定の認証処理が可能な構成である。そのため、ＣＲ１０６は、例えば障害等により通信線を介した情報の送受信が不能となっても、ＣＲ電源１０４から電力が供給されていれば認証処理が実行可能である。
【００３０】
ＣＲ１０６は、入退場者の認証結果を含む入退場履歴を、図１に示す制御装置１０３を介してサーバ装置１０１に送信する。サーバ装置１０１は、各ＣＲ１０６から受信した入退場履歴を、管理端末１０２により閲覧可能に保存する。
【００３１】
一方、図１に示したサーバ装置１０１は、管理端末１０２を用いてシステム管理者等が認証情報や制御プログラムを更新した場合、該更新後の認証情報や制御プログラムを、制御装置１０３を介して各ＣＲ１０６に送信する。ＣＲ１０６は、サーバ装置１０１から受信した更新後の認証情報を自装置の記憶装置２０４に保存し、更新後の制御プログラムを記憶媒体２０６に保存する。サーバ装置１０１と通信不能の期間では、上記認証情報や制御プログラムの更新は不能となる。図２に示すＣＲ１０６は、上記カード読取部２０１や通信機能を備えた、例えば情報処理装置（コンピュータ）によって実現できる。
【００３２】
図２に示すように、本実施形態の入退管理システムでは、各ＣＲ１０６が備える記憶装置２０４により、停電時の動作要否を指定する停電時動作フラグ２１１を保存する。停電時動作フラグ（「１」または「０」）は、例えば管理端末１０２を用いてシステム管理者等により設定される。停電時動作フラグは、例えばセキュリティレベルが高い、重要な管理エリアに設けられたＣＲ１０６に対して、停電時の動作を指定する値（例えば「１」）を設定すればよい。
【００３３】
本実施形態のＣＲ１０６は、商用交流電源の停電時、制御装置１０３からシャットダウンコマンドを受信すると、記憶装置２０４で保存している停電時動作フラグ２１１を確認し、停電時動作フラグ２１１が動作否を示している場合は自装置をシャットダウンし、停電時動作フラグ２１１が動作要を示している場合は自装置の動作を維持する。
【００３４】
図３は、第１の実施の形態の入退管理システムの動作例を示すフローチャートである。図３は、図２に示したＣＲ１０６の処理手順の一例を示している。
【００３５】
商用交流電源で停電が発生すると、ＵＰＳ１０５で該停電の発生が検出され、ＵＰＳ１０５から所定の制御装置１０３に上記一次側停電通知信号が出力される。
【００３６】
一次側停電通知信号を受信した制御装置１０３は、入退管理システムが備える他の制御装置１０３、サーバ装置１０１、管理端末１０２、ＣＲ１０６にシャットダウンコマンドをそれぞれ送信する。
【００３７】
シャットダウンコマンドを受信した制御装置１０３、サーバ装置１０１及び管理端末１０２は、それぞれ自装置をシャットダウンする。また、シャットダウンコマンドを送信した制御装置１０３も、シャットダウンコマンドを送信した後、自装置をシャットダウンする。
【００３８】
図３に示すように、ＣＲ１０６は、シャットダウンコマンドを受信すると（ステップＡ１）、処理装置２０２により自装置の記憶装置２０４で保存された停電時動作フラグ２１１をチェックし（ステップＡ２）、停電時動作フラグ２１１が動作否（例えば「０」）を示しているか否かを判定する（ステップＡ３）。
【００３９】
停電時動作フラグ２１１が動作否（例えば「０」）を示している場合、処理装置２０２は、例えば電源コントローラ２０８を用いて自装置をシャットダウンする（ステップＡ４）。
【００４０】
一方、停電時動作フラグ２１１が動作要（例えば「１」）を示している場合、処理装置２０２は、シャットダウンコマンドをキャンセルし、自装置の動作を維持して、認証処理の受付が可能な認証待ち状態を継続する（ステップＡ５）。
【００４１】
第１の実施の形態によれば、商用交流電源の停電時、停電時動作フラグ２１１が動作否（例えば「０」）を示すＣＲ１０６、サーバ装置１０１、管理端末１０２及び制御装置１０３がシャットダウンするため、停電時動作フラグが動作要（例えば「１」）に設定されたＣＲ１０６にのみＵＰＳ１０５から電力が供給される。そのため、停電対策としてＵＰＳ１０５を備える入退管理システムであっても、停電時に、例えばセキュリティレベルが高い重要な管理エリアのＣＲ１０６の動作時間を延ばすことができる。
【００４２】
また、停電時における入退管理システムの消費電力を抑制できるため、例えば上記重要な管理エリアのＣＲ１０６の動作を所望の時間だけ維持できる範囲内で、ＵＰＳ１０５が備える二次電池の容量を低減できる。したがって、ＵＰＳ１０５のコストの低減も可能になる。
【００４３】
よって、適正なコストで、停電時でも所要の管理エリアの動作を所望の時間だけ維持できる入退管理システムが得られる。
（第２の実施の形態）
図４は第２の実施の形態のカードリーダの一構成例を示すブロック図であり、図５は第２の実施の形態の入退管理システムの動作例を示すフローチャートである。図５は図４に示したＣＲ１０６の処理手順の一例を示している。
【００４４】
図４に示すように、第２の実施の形態のＣＲ１０６は、処理装置２０２に、予め設定された設定値からの残り時間を計測するカウントダウンタイマ２１３を備え、記憶装置２０４で該カウントダウンタイマ２１３の設定値（タイマ設定値）２１２を保存する構成である。カウントダウンタイマ２１３は、例えば制御プログラムによるＣＰＵの処理で実現できる。タイマ設定値２１２は、例えば管理端末１０２を用いてシステム管理者等によって設定される。タイマ設定値２１２は、例えばセキュリティレベルが高い、重要な管理エリアに設けられたＣＲ１０６に対して「０」以上の値を設定すればよい。その他の入退管理システム及びＣＲ１０６の構成は第１の実施の形態と同様であるため、その説明は省略する。
【００４５】
第２の実施の形態のＣＲ１０６は、商用交流電源の停電時、制御装置１０３からシャットダウンコマンドを受信すると、タイマ設定値２１２が零の場合は自装置をシャットダウンし、タイマ設定値２１２が零以外の場合は自装置の動作を維持し、該タイマ設定値２１２からカウントダウンタイマ２１３を動作させ、該カウントダウンタイマ２１３が零になった時点で自装置をシャットダウンする。
【００４６】
第２の実施の形態の入退管理システムでは、商用交流電源で停電が発生すると、第１の実施の形態と同様に、ＵＰＳ１０５で該停電の発生が検出され、ＵＰＳ１０５から所定の制御装置１０３に上記一次側停電通知信号が出力される。
【００４７】
一次側停電通知信号を受信した制御装置１０３は、入退管理システムが備える他の制御装置１０３、サーバ装置１０１、管理端末１０２、各ＣＲ１０６にシャットダウンコマンドを送信する。
【００４８】
シャットダウンコマンドを受信した制御装置１０３、サーバ装置１０１及び管理端末１０２は、それぞれ自装置をシャットダウンする。また、シャットダウンコマンドを送信した制御装置１０３も、シャットダウンコマンドを送信した後、自装置をシャットダウンする。
【００４９】
図５に示すように、ＣＲ１０６は、シャットダウンコマンドを受信すると（ステップＢ１）、処理装置２０２により自装置の記憶装置２０４で保存されたタイマ設定値２１２を読み出し（ステップＢ２）、タイマ設定値２１２が「０」（零）であるか否かを判定する（ステップＢ３）。
【００５０】
タイマ設定値２１２が「０」（零）である場合、処理装置２０２は、例えば電源コントローラ２０８を用いて自装置をシャットダウンする（ステップＢ４）。
【００５１】
一方、タイマ設定値２１２が「０」（零）でない場合、処理装置２０２は、シャットダウンコマンドをキャンセルし、自装置の動作を維持して認証処理の受付が可能な認証待ち状態を継続する。そして、記憶装置２０４で保存されたタイマ設定値２１２からカウントダウンタイマ２１３を動作させ、ステップＢ２の処理に戻ってステップＢ２〜Ｂ３の処理を繰り返す。
【００５２】
この場合、処理装置２０２は、カウントダウンタイマ２１３の値が「０」（零）になった時点で、自装置をシャットダウンする。
【００５３】
第２の実施の形態によれば、商用交流電源の停電時、タイマ設定値２１２が「０」（零）のＣＲ１０６、サーバ装置１０１、管理端末１０２及び制御装置１０３がシャットダウンするため、タイマ設定値２１２に「０」以外の値が設定されたＣＲ１０６にのみＵＰＳ１０５から電力が供給される。そのため、第１の実施の形態と同様に、停電対策としてＵＰＳ１０５を備える入退管理システムであっても、停電時に、例えばセキュリティレベルが高い重要な管理エリアのＣＲ１０６の動作時間を延ばすことができる。
【００５４】
また、停電時における入退管理システムの消費電力を抑制できるため、例えば上記重要な管理エリアのＣＲ１０６の動作を所望の時間だけ維持できる範囲内で、ＵＰＳ１０５が備える二次電池の容量を低減できる。したがって、ＵＰＳ１０５のコストの低減も可能になる。
【００５５】
さらに、第２の実施の形態の入退管理システムでは、タイマ設定値２１２により停電時における管理エリア毎のＣＲ１０６の動作時間をそれぞれ設定できる。そのため、例えばより重要な管理エリアのＣＲ１０６の動作時間は長く設定し、比較的重要度が低い管理エリアのＣＲ１０６の動作時間を短く設定する等の制御も可能になる。
【００５６】
よって、第１の実施の形態と同様に、適正なコストで、停電時でも所要の管理エリアの動作を所望の時間だけ維持できる入退管理システムが得られる。
（第３の実施の形態）
図６は第３の実施の形態の入退管理システムを示す図であり、同図（ａ）はカードリーダの一構成例を示すブロック図、同図（ｂ）はカードリーダの配置例を示す平面図である。図７は第３の実施の形態の入退管理システムの動作例を示すフローチャートである。図７は、図６（ａ）、（ｂ）に示したＣＲの処理手順の一例を示している。
【００５７】
図６（ａ）に示すように、第３の実施の形態の入退管理システムは、管理エリア毎に設けられたＣＲ１０６が入室用ＣＲとして用いられ、さらに管理エリア毎に退室用のＣＲ（退室用ＣＲ）３０１が設けられた構成である。すなわち、各管理エリアは、ＣＲ（入室用ＣＲ）１０６と退室用ＣＲ３０１とを一組ずつ備えている。図６（ｂ）に示すように、ＣＲ（入室用ＣＲ）１０６は管理エリア外部の扉近傍に設置され、退室用ＣＲ３０１は管理エリア内部の扉近傍に設置される。
【００５８】
退室用ＣＲ３０１は、カード読取部３０２及び電源部３０３を備え、カード読取部３０２の動作はＣＲ（入室用ＣＲ）１０６が備える通信コントローラ２１０で制御され、電源部３０３の動作はＣＲ（入室用ＣＲ）１０６が備える電源コントローラ２０８で制御される。
【００５９】
また、第３の実施の形態の入退管理システムでは、各ＣＲ（入室用ＣＲ）１０６が備える記憶装置２０４により、自装置の管理エリア内における人の存在の有無を示す在室フラグ３０４を保存する。在室フラグ３０４は、サーバ装置１０１によって設定される。サーバ装置１０１は、各ＣＲ（入室用ＣＲ）１０６から送信される入退場履歴に基づき、管理エリア毎の人の在室有無を判定する。その他の入退管理システム及びＣＲ（入室用ＣＲ）１０６の構成は第１の実施の形態と同様であるため、その説明は省略する。
【００６０】
第３の実施の形態の入退管理システムでは、サーバ装置１０１により、各ＣＲ（入室用ＣＲ）１０６から通知される入退場履歴を監視し、該入退場履歴に基づいて管理エリアに人が存在するか否かを判定し、その判定結果に基づいて在室フラグを設定する。例えば、人が存在する管理エリアに対応するＣＲ（入室用ＣＲ）１０６の在室フラグ３０４を「１」にセットし、人が不在の管理エリアに対応するＣＲ（入室用ＣＲ）１０６の在室フラグ３０４を「０」にセットする。
【００６１】
第３の実施の形態の入退管理システムでは、商用交流電源で停電が発生すると、第１の実施の形態と同様に、ＵＰＳ１０５で該停電の発生が検出され、ＵＰＳ１０５から所定の制御装置１０３に上記一次側停電通知信号が出力される。
【００６２】
一次側停電通知信号を受信した制御装置１０３は、入退管理システムが備える他の制御装置１０３、サーバ装置１０１、管理端末１０２、各ＣＲ（入室用ＣＲ）１０６にシャットダウンコマンドを送信する。
【００６３】
シャットダウンコマンドを受信した制御装置１０３、サーバ装置１０１及び管理端末１０２は、それぞれ自装置をシャットダウンする。また、シャットダウンコマンドを送信した制御装置１０３も、シャットダウンコマンドを送信した後、自装置をシャットダウンする。
【００６４】
図７に示すように、ＣＲ（入室用ＣＲ）１０６は、シャットダウンコマンドを受信すると（ステップＣ１）、処理装置２０２により自装置の記憶装置２０４で保存された在室フラグ３０４をチェックし（ステップＣ２）、在室フラグ３０４が人の不在（例えば「０」）を示しているか否かを判定する（ステップＣ３）。
【００６５】
在室フラグ３０４が人の不在を示している場合、処理装置２０２は、例えば電源コントローラ２０８を用いて自装置をシャットダウンする（ステップＣ４）。
【００６６】
一方、在室フラグ３０４が人の存在（例えば「１」）を示している場合、処理装置２０２は、シャットダウンコマンドをキャンセルし、自装置の動作を維持して、認証処理の受付が可能な認証待ち状態を継続する（ステップＣ５）。
【００６７】
第３の実施の形態によれば、商用交流電源の停電時、在室フラグ３０４が「１」以外のＣＲ１０６、サーバ装置１０１、管理端末１０２及び制御装置１０３がシャットダウンするため、在室フラグ３０４が「１」に設定されたＣＲ１０６にのみＵＰＳ１０５から電力が供給される。そのため、停電対策としてＵＰＳ１０５を備える入退管理システムであっても、停電時に、人が在室する管理エリアのＣＲ１０６の動作時間を延ばすことができる。
【００６８】
また、停電時における入退管理システムの消費電力を抑制できるため、例えば上記人が在室する管理エリアのＣＲ１０６の動作を所望の時間だけ維持できる範囲内で、ＵＰＳ１０５が備える二次電池の容量を低減できる。したがって、ＵＰＳ１０５のコストの低減も可能になる。
【００６９】
さらに、第３の実施の形態の入退管理システムでは、停電時に人が在室する管理エリアのＣＲ１０６の動作時間を延ばすことで、管理エリア内への人の閉じ込めを防止できる。
【００７０】
よって、第３の実施の形態によれば、第１の実施の形態と同様の効果が得られると共に、停電時に管理エリア内への人の閉じ込めを防止できる。
【００７１】
なお、第３の実施の形態の入退管理システムは、上述した第１及び第２の実施の形態と組み合わせて採用してもよい。その場合、停電時動作フラグが「０」である場合やカウントダウンタイマ２１３が零になっても在室フラグ３０４が人の存在（例えば「１」）を示していれば、自装置をシャットダウンしない方が望ましい。
（第４の実施の形態）
図８は、第４の実施の形態の入退管理システムを示す図であり、同図（ａ）はカードリーダの一構成例を示すブロック図、同図（ｂ）はカードリーダの配置例を示す平面図である。図９（ａ）及び（ｂ）は第４の実施の形態の入退管理システムの動作例を示すフローチャートである。図９（ａ）は、図８（ａ）に示したカードリーダの通常動作時の処理手順の一例を示し、図９（ｂ）は、図８（ａ）に示したカードリーダの停電時の処理手順の一例を示している。
【００７２】
図８（ａ）に示すように、第４の実施の形態の入退管理システムは、第３の実施の形態と同様に、管理エリア毎に設けられたＣＲ１０６が入室用ＣＲとして用いられ、さらに管理エリア毎に退室用のＣＲ（退室用ＣＲ）３０１が設けられた構成である。すなわち、各管理エリアは、ＣＲ（入室用ＣＲ）１０６と退室用ＣＲ３０１とを一組ずつ備えている。図８（ｂ）に示すように、ＣＲ（入室用ＣＲ）１０６は管理エリア外部の扉近傍に設置され、退室用ＣＲ３０１は管理エリア内部の扉近傍に設置される。
【００７３】
退室用ＣＲ３０１は、カード読取部３０２及び電源部３０３を備え、カード読取部３０２の動作はＣＲ（入室用ＣＲ）１０６が備える通信コントローラ２１０で制御され、電源部３０３の動作はＣＲ（入室用ＣＲ）１０６が備える電源コントローラ２０８で制御される。
【００７４】
また、第４の実施の形態の入退管理システムでは、ＣＲ（入室用ＣＲ）１０６の処理装置２０２に、管理エリアへ人が入場するとカウントアップし、管理エリアから人が退場するとカウントダウンするアップダウンカウンタ２１４を備え、記憶装置２０４で該アップダウンカウンタ２１４のカウント値５０１を保存する構成である。アップダウンカウンタ２１４は、例えば制御プログラムによるＣＰＵの処理で実現できる。その他の入退管理システム及びＣＲ１０６の構成は第１の実施の形態と同様であるため、その説明は省略する。
【００７５】
図９（ａ）に示すように、ＣＲ（入室用ＣＲ）１０６の処理装置２０２は、通常動作時、認証処理が発生すると（ステップＤ１）、ＣＲ（入室用ＣＲ）１０６を利用した認証処理であるか否かを判定する（ステップＤ２）。
【００７６】
入退場者が該ＣＲ（入室用ＣＲ）１０６を利用して認証した場合、処理装置２０２は、アップダウンカンタ２１４の値を「１」だけカウントアップし、そのカウント値５０１を記憶装置２０４に保存する。
【００７７】
また、入退場者が退室用ＣＲ３０１を利用して認証した場合、処理装置２０２は、アップダウンカンタ２１４の値を「１」だけカウントダウンし、そのカウント値５０１を記憶装置２０４に保存する。このようにして処理装置２０２は管理エリア内の在室者数を計数し、その値を保存する。
【００７８】
一方、商用交流電源で停電が発生すると、第１の実施の形態と同様に、ＵＰＳ１０５で該停電の発生が検出され、ＵＰＳ１０５から所定の制御装置１０３に上記一次側停電通知信号が出力される。
【００７９】
一次側停電通知信号を受信した制御装置１０３は、入退管理システムが備える他の制御装置１０３、サーバ装置１０１、管理端末１０２、各ＣＲ（入室用ＣＲ）１０６にシャットダウンコマンドを送信する。
【００８０】
シャットダウンコマンドを受信した制御装置１０３、サーバ装置１０１及び管理端末１０２は、それぞれ自装置をシャットダウンする。また、シャットダウンコマンドを送信した制御装置１０３も、シャットダウンコマンドを送信した後、自装置をシャットダウンする。
【００８１】
図９（ｂ）に示すように、ＣＲ１０６は、シャットダウンコマンドを受信すると（ステップＥ１）、処理装置２０２により自装置の記憶装置２０４で保存されたカウント値５０１を読み出し（ステップＥ２）、カウント値５０１が「０」（零）であるか否かを判定する（ステップＥ３）。
【００８２】
カウント値５０１が「０」（零）である場合、処理装置２０２は、例えば電源コントローラ２０８を用いて自装置をシャットダウンする（ステップＥ４）。
【００８３】
一方、カウント値５０１が「０」（零）でない場合、処理装置２０２は、シャットダウンコマンドをキャンセルし、自装置の動作を継続する（ステップＥ５）。そして、ステップＥ２の処理に戻ってステップＥ２〜Ｅ５の処理を繰り返す。
【００８４】
この場合、処理装置２０２は、アップダウンカンタ２１４の値が「０」（零）になった時点、すなわち管理エリア内に人がいなくなった時点で自装置をシャットダウンする。
【００８５】
第４の実施の形態によれば、商用交流電源の停電時、カウント値５０１が「０」のＣＲ１０６、サーバ装置１０１、管理端末１０２及び制御装置１０３がシャットダウンするため、カウント値５０１が「０」以外のＣＲ１０６にのみＵＰＳ１０５から電力が供給される。そのため、停電対策としてＵＰＳ１０５を備える入退管理システムであっても、停電時に、人が在室する管理エリアのＣＲ１０６の動作時間を延ばすことができる。
【００８６】
また、停電時における入退管理システムの消費電力を抑制できるため、例えば上記人が在室する管理エリアのＣＲ１０６の動作を所望の時間だけ維持できる範囲内で、ＵＰＳ１０５が備える二次電池の容量を低減できる。したがって、ＵＰＳ１０５のコストの低減も可能になる。
【００８７】
さらに、第４の実施の形態の入退管理システムでは、停電時に人が在室する管理エリアのＣＲ１０６の動作時間を延ばすことで、管理エリア内への人の閉じ込めを防止できる。
【００８８】
よって、第４の実施の形態によれば、第１の実施の形態と同様の効果が得られると共に、停電時に管理エリア内への人の閉じ込めを防止できる。
【００８９】
なお、第４の実施の形態の入退管理システムは、上述した第１及び第２の実施の形態と組み合わせて採用してもよい。その場合、停電時動作フラグが「０」である場合やカウントダウンタイマ２１３が零になっても、アップダウンカンタ２１４のカウント値５０１が「０」（零）以外であれば、自装置をシャットダウンしない方が望ましい。
【符号の説明】
【００９０】
１０１    サーバ装置
１０２    管理端末
１０３    制御装置
１０４    ＣＲ電源
１０５    ＵＰＳ
１０６    ＣＲ
１０７    鍵
２０１、３０２    カード読取部
２０２    処理装置
２０３    メモリコントローラ
２０４    記憶装置
２０５    記憶媒体コントローラ
２０６    記憶媒体
２０７    ネットワークコントローラ
２０８    電源コントローラ
２０９、３０３    電源部
２１０    通信コントローラ
２１１    停電時動作フラグ
２１２    タイマ設定値
２１３    カウントダウンタイマ
２１４    アップダウンカウンタ
３０１    退室用ＣＲ
３０４    在室フラグ
５０１    カウント値
【図１】
2013206042.tif 000003
【図２】
2013206042.tif 000004
【図３】
2013206042.tif 000005
【図４】
2013206042.tif 000006
【図５】
2013206042.tif 000007
【図６】
2013206042.tif 000008
【図７】
2013206042.tif 000009
【図８】
2013206042.tif 000010
【図９（ａ）】
2013206042.tif 000011
【図９（ｂ）】
2013206042.tif 000012